【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
光束を発する第１開口端と、第２端と、第１開口端および第２端の間に延びる反射器軸線とを含む反射器と、
光源と、
操作インターフェースを含む可動光源ホルダであって、光源を反射器の第１開口端と第２端との間の位置に保持するとともに、操作インターフェースに加えられる力に応答して、当該光源をエネルギ源との電気的な接続を維持しながら反射器軸線に対して横方向に第１位置まで移動させる可動光源ホルダと、
可動光源ホルダに当接する保持体であって、可動光源ホルダおよび光源を上記第１位置にて調整可能に保持する保持体と、を備えてなる、手で保持するポータブル照明器具。
【請求項２】
上記操作インターフェースがソケットである、請求項１記載のポータブル照明器具。
【請求項３】
上記ソケットが第１操作軸線を規定しており、
上記可動光源ホルダは、第１操作軸線の回りを移動し、
第１操作軸線は反射器軸線とは一致しない、請求項２記載のポータブル照明器具。
【請求項４】
上記ソケットが第１軸線を規定しており、上記第１軸線を反射器軸線に対して移動させることで、上記可動光源ホルダが移動する、請求項２記載のポータブル照明器具。
【請求項５】
上記操作インターフェースに連結されていて、操作力を当該操作インターフェースに伝達する操作部材をさらに備える、請求項１記載のポータブル照明器具。
【請求項６】
上記操作部材は、上記可動電球バルブホルダの操作インターフェースに連結されたレバーである、請求項５記載のポータブル照明器具。
【請求項７】
上記保持体は、当該保持体を可動光源ホルダに当接させるスプリングを有していて、それにより、上記光源が反射器軸線に対して横方向に移動された後において、同光源の反射器軸線に対する位置が調整可能に維持される、請求項１記載のポータブル照明器具。
【請求項８】
上記光源が２つの電極を備え、当該２つの電極間にフィラメントが延在している、請求項１記載のポータブル照明器具。
【請求項９】
上記可動光源ホルダは実質的に球状のハウジングを含む、請求項１記載のポータブル照明器具。
【請求項１０】
１または２以上のバッテリを保持するハウジングをさらに備え、当該ハウジングの一端に上記反射器が固定されている、請求項１記載のポータブル照明器具。
【請求項１１】
上記可動光源ホルダは、制御されながら反射器軸線に沿う方向に移動して、上記反射器の焦点に対する光源の軸方向相対位置を変更することが可能である、請求項１記載のポータブル照明器具。
【請求項１２】
以下の構成を備えるフラッシュライト。
・第１端および第２端を有し、１または２以上のバッテリを保持するハウジング。
・ハウジングの第１端に固定されていて、光束を発する第１開口端と、第２端と、その間に延びる反射器軸線とを含む反射器。
・照射源。
・操作インターフェースを備えた可動ホルダであって、照射源を反射器の第１開口端と第２端との間の位置に保持するとともに、操作インターフェースに加えられる力に応答して、当該照射源の反射器軸線に対する位置を選択的に調整する、可動ホルダ。操作インターフェースは、ユーザにより外側から操作されて可動ホルダを移動させることが可能で、可動ホルダは、上記反射器軸線と一致しない第１操作軸線の回りに移動可能である。
・照射源を上記１または２以上のバッテリに連結する電気回路。
【請求項１３】
上記可動ホルダは、第２操作軸線の回りを移動可能で、
第２操作軸線は、第１操作軸線または反射器軸線とは一致しない、請求項１２記載のフラッシュライト。
【請求項１４】
上記操作インターフェースに連結されていて可動ホルダを移動させる操作部材をさらに備える、請求項１２記載のフラッシュライト。
【請求項１５】
上記反射器に着脱可能に設けられたヘッドをさらに備えていて、当該ヘッドは、上記反射器に着脱可能に取り付けられた着脱可能なスリーブを備え、
当該スリーブは、反射器に固定されたときに操作インターフェースをカバーするとともに、反射器からスリーブを取り外したときに操作インターフェースを露出させて当該インターフェースへのアクセスを容易とする、請求項１２記載のフラッシュライト。
【請求項１６】
上記電気回路を開閉するスイッチをさらに備え、当該スイッチは、上記ヘッドの回転に応答して電気回路を開閉する、請求項１５記載のフラッシュライト。
【請求項１７】
上記ハウジングとヘッドの間に配置された導電部材をさらに備え、当該導電部材は、外部からアクセス可能で、上記電気回路に電気的に連結されている、請求項１６記載のフラッシュライト。
【請求項１８】
上記１または２以上のバッテリをハウジングから取り出すことなく再充電するための導電部材をさらに備え、当該導電部材は、上記電気回路に電気的に連結されている、請求項１２記載のフラッシュライト。
【請求項１９】
上記１または２以上のバッテリからの圧力に応答して軸方向に伸び縮みする、長さが可変の導電部材をさらに備え、
当該導電部材は、上記照射源と１または２以上のバッテリとの間に配置されていて、照射源と１または２以上のバッテリとの電気的連結を、選択的に閉じたり開いたりする形態とされている、請求項１２記載のフラッシュライト。
【請求項２０】
上記可動ホルダは実質的に球状のハウジングを含む、請求項１２記載のフラッシュライト。
【請求項２１】
上記球状のハウジングは、球状の空間内を移動する、請求項２０記載のフラッシュライト。
【請求項２２】
上記光源を反射器の焦点に位置合わせする手段をさらに備える、請求項１２記載のフラッシュライト。
【請求項２３】
上記可動ホルダは、反射器軸線に沿う方向に制御下で移動して、反射器の焦点に対する上記照射源の軸方向相対位置を変更することが可能な、請求項１２記載のフラッシュライト。
【請求項２４】
上記照射源が１対の電極を備え、これらの電極間にフィラメントが延在している、請求項１２記載のフラッシュライト。
【請求項２５】
上記可動ホルダは、当該可動ホルダが移動するときに、上記電極を上記１または２以上のバッテリに対して電気的に接続された状態を維持する手段をさらに備える、請求項２４記載のフラッシュライト。
【請求項２６】
上記可動ホルダは湾曲した導電部材をさらに備え、
当該湾曲した導電部材は、上記電気回路内に配置されるとともに、上記照射源に機能的に接続されており、
当該湾曲した導電部材は、照射源を反射器軸線に対して移動させるときに、照射源と上記１または２以上のバッテリとの電気的接続を維持する、請求項１２記載のフラッシュライト。
【請求項２７】
上記湾曲した導電部材は、第１接触子と、これに電気的に接続された第２接触子とを備え、
第１接触子は、上記照射源に接続され、
第２接触子は、隣接する導電部材に対する電気的接触を維持する湾曲した領域を含む、請求項２６記載のフラッシュライト。
【請求項２８】
以下の構成を備えたフラッシュライト。
・第１端および第２端を有し、１または２以上のバッテリを保持するハウジング。
・光束を発する第１開口端と、第２端と、その間に延びる反射器軸線とを含む反射器。
・照射源。
・操作インターフェースを備えた可動ホルダであって、照射源を反射器の第１開口端と第２端との間の位置に保持するとともに、操作インターフェースに加えられる力に応答して、当該照射源の反射器に対する位置を非線形の経路に沿って横方向に移動させて調整する、可動ホルダ。操作インターフェースは、ユーザにより外側から操作されて可動ホルダを移動させることが可能である。
・照射源を上記１または２以上のバッテリに連結する電気回路。
【請求項２９】
操作力が作用しない場合に反射器軸線に対する上記照射源の位置を維持するように、上記可動ホルダに対してスプリング付勢された保持体をさらに備える、請求項２８記載のフラッシュライト。
【請求項３０】
上記照射源が反射器軸線に対して位置合わせされた後において、反射器軸線に対する照射源の位置を維持する手段をさらに備える、請求項２８記載のフラッシュライト。
【請求項３１】
スプリング導電手段をさらに備え、
当該スプリング導電手段は、上記１または２以上のバッテリの中央電極に機能的に連結されていて、当該バッテリを損傷から保護する、請求項２８記載のフラッシュライト。
【請求項３２】
エネルギ源を受け入れるハウジングと、
上記エネルギ源に電気的に連結された実質的点光源と、
軸線と、実質的点光源で生成された光を反射して光線を発する開口端と、を含む反射器と、
実質的点光源を保持する可動ホルダと、
実質的点光源を上記エネルギ源に電気的に接続した状態で、可動ホルダを移動させて、反射器の軸線に対する実質的点光源の位置を横方向に変える手段と、
可動ホルダに当接していて、可動ホルダおよび光源をある位置に調整可能に保持する、保持体と、を備えるポータブル照明器具。
【請求項３３】
上記反射器が上記ハウジングの端部に固定されている、請求項３２記載のポータブル照明器具。
【請求項３４】
上記反射器の焦点に対して、上記実質的点光源を位置合わせする手段をさらに備える、請求項３２記載のポータブル照明器具。
【請求項３５】
上記エネルギ源から実質的点光源へのエネルギを制御するスイッチをさらに備える、請求項３２記載のポータブル照明器具。
【請求項３６】
上記実質的点光源を反射器軸線に沿って移動させる手段をさらに備える、請求項３２記載のポータブル照明器具。
【請求項３７】
上記スイッチは、上記ホルダの移動に応答して開閉する、請求項３５記載のポータブル照明器具。
【請求項３８】
上記スイッチは、開いたことを示す感覚的応答構造を含んでいる、請求項３７記載のポータブル照明器具。
【請求項３９】
上記保持体が固定機構を備えていて、当該固定機構は、上記実質的点光源が反射器軸線に対して実質的に位置合わせされた後において、上記可動ホルダの位置を維持する、請求項３２記載のポータブル照明器具。
【請求項４０】
上記実質的点光源は、一対の電極の間に延在するフィラメント上に位置する、請求項３２記載のポータブル照明器具。
【請求項４１】
上記エネルギ源と実質的点光源との間に配置された調整可能な導電手段をさらに備え、
当該導電手段は、実質的点光源が反射器軸線に対して位置合わせされる間、当該エネルギ源と実質的点光源との間の電気的接触を維持するよう構成されている、請求項３２記載のポータブル照明器具。
【請求項４２】
上記保持体は、当該保持体を可動ホルダに当接させるスプリングを含んでいて、これにより、上記実質的点光源が反射器軸線に対して位置合わせされた後において、実質的点光源の反射器軸線に対する位置が調整可能に維持される、請求項３２記載のポータブル照明器具。
【請求項４３】
スプリング導電手段をさらに備え、
当該スプリング導電手段は、上記エネルギ源の中央電極に機能的に連結されていて、当該エネルギ源を損傷から保護する、請求項３２記載のポータブル照明器具。
【請求項４４】
電球バルブのフィラメントから発せられる実質的点光源を、フラッシュライトの反射器軸線に対して位置合わせする方法であって、
１または２以上のバッテリを保持するフラッシュライトのハウジングに反射器を固定的に取り付ける固定取付工程と、
反射器内であって当該反射器の光束を発射する端部とは反対側の端部の近傍位置に電球バルブのフィラメントを位置させる可動バルブホルダに、電球バルブを取り付ける取付工程と、
可動バルブホルダを選択的に調整して、上記電球バルブを１または２以上のバッテリに電気的に連結した状態で、電球バルブのフィラメントの実質的点光源を、反射器軸線から横方向に離れた第１位置から、反射器軸線に位置合わせされた第２位置まで移動させる調整工程と、を含む方法。
【請求項４５】
上記可動ホルダを反射器軸線に沿う方向に移動させる、請求項４４記載の方法。
【請求項４６】
上記可動バルブホルダは、操作インターフェースを含み、
上記調整工程では、操作力を操作インターフェースに作用させて、可動バルブホルダを移動させる、請求項４４記載の方法。
【請求項４７】
上記操作力は、操作インターフェースに連結された操作部材を介して操作インターフェースに伝えられる、請求項４６記載の方法。
【請求項４８】
上記調整工程では、フィラメントの実質的点光源を、第１位置から第２位置まで、非線形の経路に沿って移動させる、請求項４４記載の方法。
【請求項４９】
フィラメントの実質的点光源が反射器軸線に対して位置合わせされたことを、反射器から発せられる光束の質を目視観察することで確認する確認工程をさらに含む、請求項４５記載の方法。
【請求項５０】
上記確認工程では、反射器から発せられる光束の対称性を目視観察する、請求項４９記載の方法。
【請求項５１】
フィラメントに対する反射器の位置を変更して、フィラメントの実質的点光源を反射器の焦点に位置合わせする位置変更工程をさらに含む、請求項４４記載の方法。
【請求項５２】
フィラメントの実質的点光源が反射器の焦点に対して位置合わせされたことを、反射器から発せられる光束の質を目視観察することで確認する確認工程をさらに含む、請求項５１記載の方法。
【請求項５３】
上記確認工程では、反射器から発せられる光束の強さを目視観察する、請求項５１記載の方法。
【請求項５４】
スプリング力によって、フィラメントの実質的点光源を上記第２位置に調整可能に保持する工程をさらに含む、請求項４４記載の方法。
【請求項５５】
ポータブル電気エネルギ源を収容する収容手段と、
電気回路を介してポータブル電気エネルギ源に機能的に接続された２つの電極と、これらの電極間に延在していて光を発するフィラメントとを含む電球手段と、
上記収容手段に軸方向かつ横方向に固定されている実質的に軸対称である反射器であって、フィラメントで生成された光束を放出する第１開口端と、第１開口端に向かって延在する上記電球手段を受け入れる第２端と、第２端から第１開口端へと延びる軸線と、当該軸線上の焦点とを含んでいる反射器と、
上記電球手段を保持し、当該電球手段を上記ポータブル電気エネルギ源に電気的に接続した状態で、上記軸対称の反射器の軸線に対して横方向に第１位置まで移動させる可動手段と、
上記軸対称の反射器の軸線に沿って可動手段を移動させる手段と、を備えるフラッシュライト。
【請求項５６】
光束を発する第１開口端と、第２端と、第１開口端と第２端との間に延びる軸線とを含む反射器と、
光源と、
操作インターフェースを含む可動光源ホルダであって、反射器の第１開口端と第２端との間の位置に光源を保持するとともに、エネルギ源に電気的に接続された状態で当該光源が操作インターフェースに加えられる操作力に応答して、反射器軸線から横方向に離れた第１位置から、反射器軸線に位置合わせされた第２位置へと、選択的に移動することを許容する可動光源ホルダと、
スプリング付勢されて上記可動な光源に当接していて、操作インターフェースに操作力が作用しない場合には、可動光源ホルダを固定位置に保持する保持体と、を備えるフラッシュライト。
【請求項５７】
上記反射器は、調整不能であって、上記ハウジングの第１端に固定されている、請求項５６記載のフラッシュライト。
【請求項５８】
光束を発する第１開口端と、第２端と、第１開口端と第２端との間に延びる軸線とを含む反射器と、
光源と、
操作インターフェースを含む可動光源ホルダであって、反射器の第１開口端と第２端との間の位置に光源を保持するとともに、操作インターフェースに加えられる操作力に応答して、光源を、エネルギ源に電気的に接続した状態で、反射器軸線に対して横方向に非線形経路を通って移動させる可動光源ホルダと、
スプリング付勢されて上記可動な光源に当接していて、操作インターフェースに操作力が作用しない場合には、可動光源ホルダを固定位置に保持する保持体と、を備える、手で保持するポータブル照明器具。
【請求項５９】
光束を発する第１開口端と、第２端と、第１開口端と第２端との間に延びる軸線とを含む反射器と、
光源と、
操作インターフェースを含む可動ホルダであって、反射器の第１開口端と第２端との間の位置に光源を保持するとともに、操作インターフェースに加えられる操作力に応答して、光源を、エネルギ源に電気的に接続した状態で、非線形経路を通して移動させて当該光源の位置を調整し、かつ、光源を反射器軸線に沿って移動させる可動ホルダと、
スプリング付勢されて上記可動ホルダに当接していて、操作インターフェースに操作力が作用しない場合には、可動ホルダを固定位置に保持する保持体と、を備えるフラッシュライト。